【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
投入口に投入される錠剤シートの複数の錠剤収容部から、処方設定データに従って、個々に錠剤を取り出して当該錠剤シートを排出する錠剤供給装置であって、
前記錠剤シートの錠剤収容部から錠剤を取り出す取り出し動作を行う錠剤取り出し手段と、
前記錠剤シートを搬送する搬送手段と、
前記処方設定データに従った錠剤の取り出しが完了した錠剤シートを、前記搬送手段により前記排出路に排出するかの指示を受け付ける受付手段と、
を備え、
前記搬送手段は、前記受付手段により、前記処方設定データに従った錠剤の取り出しが完了した錠剤シートを、前記搬送手段により前記排出路に排出する指示を受け付けた場合には、前記処方設定データに従った錠剤の取り出しが完了した最後の錠剤シートを前記排出路に排出し、一方、前記受付手段により、前記処方設定データに従った錠剤の取り出しが完了した錠剤シートを、前記搬送手段により前記排出路に排出しない指示を受け付けた場合には、前記処方設定データに従った錠剤の取り出しが完了した最後の錠剤シートを前記排出路に排出しないことを特徴とする錠剤供給装置。
【請求項２】
前記錠剤取り出し手段による取り出し動作により、前記処方設定データに示される数の錠剤が、前記錠剤シートの錠剤収容部から取り出され、前記処方設定データに従った錠剤の取り出しが完了した当該錠剤シートの全ての錠剤収容部に対して前記錠剤取り出し手段による取り出し動作が行われたか否かを判定する判定手段を更に備え、
前記搬送手段は、前記受付手段により、前記処方設定データに従った錠剤の取り出しが完了した錠剤シートを、前記搬送手段により前記排出路に排出しない指示を受け付けた場合であっても、前記判定手段により、当該錠剤シートの全ての錠剤収容部に対して前記錠剤取り出し手段による取り出し動作が行われたと判定された場合には、当該錠剤シートを前記排出路に排出することを特徴とする請求項１に記載の錠剤供給装置。
【請求項３】
前記錠剤取り出し手段による取り出し動作により、前記処方設定データに示される数の錠剤が、前記錠剤シートの錠剤収容部から取り出され、前記処方設定データに従った錠剤の取り出しが完了した当該錠剤シートの錠剤収容部に錠剤が残っているか否かを判定する判定手段を更に備え、
前記搬送手段は、前記受付手段により、前記処方設定データに従った錠剤の取り出しが完了した錠剤シートを、前記搬送手段により前記排出路に排出しない指示を受け付けた場合であっても、前記判定手段により、当該錠剤シートの錠剤収容部に錠剤が残っていないと判定された場合には、当該錠剤シートを前記排出路に排出することを特徴とする請求項１に記載の錠剤供給装置。
【請求項４】
前記受付手段により、前記処方設定データに従った錠剤の取り出しが完了した錠剤シートを、前記搬送手段により前記排出路に排出する指示を受け付けた場合には、前記処方設定データに従った錠剤の取り出しが完了した最後の錠剤シートを前記排出路に排するだけでなく、前記投入口に投入されている錠剤シートも、前記排出路に排出することを特徴とする請求項１乃至３の何れか１項に記載の錠剤供給装置。
【請求項５】
前記搬送手段により前記排出路に排出せずに前記投入口と前記排出路との間の搬送経路上に残されている錠剤シートの錠剤収容部に収容されている錠剤の薬品を識別するための薬品識別情報を登録する登録手段を更に備え、
前記処方設定データは、更に、錠剤シートの錠剤収容部に収容された錠剤の薬品を識別するための薬品識別情報を含み、
前記錠剤取り出し手段による、前記記憶手段に記憶された処方設定データに示される数の錠剤を前記錠剤シートの錠剤収容部から取り出す取り出し動作を開始する前に、前記投入口と前記排出路との間の搬送経路上に錠剤シートが残されているかを判定する錠剤シート判定手段と、
前記登録手段により登録された薬品識別情報であって、前記錠剤シート判定手段により当該搬送経路上に残されていると判定された錠剤シートの錠剤収容部に収容された錠剤の薬品を識別するための薬品識別情報と、前記処方設定データに含まれる薬品識別情報とに従って、当該搬送経路上に残されている錠剤シートの薬品と、前記処方設定データに含まれる薬品識別情報に示される薬品とが異なるか否かを判定する薬品判定手段と、
前記薬品判定手段により、当該搬送経路上に残されている錠剤シートの薬品と、前記処方設定データに含まれる薬品識別情報に示される薬品とが異なると判定された場合に、前記錠剤取り出し手段による、前記記憶手段に記憶された処方設定データに示される数の錠剤を前記錠剤シートの錠剤収容部から取り出す取り出し動作を開始する前に、その旨を通知する通知手段と、
を更に備えることを特徴とする請求項１乃至４の何れか１項に記載の錠剤供給装置。
【請求項６】
前記薬品判定手段により、当該搬送経路上に残されている錠剤シートの薬品と、前記処方設定データに含まれる薬品識別情報に示される薬品とが異なると判定された場合に、前記錠剤シート判定手段により、当該搬送経路上に残されていると判定された錠剤シートを前記搬送手段が前記排出路に排出し、その後、前記錠剤取り出し手段による、前記処方設定データに示される数の錠剤を前記投入口に投入された錠剤シートの錠剤収容部から取り出す取り出し動作を開始することを特徴とする請求項５に記載の錠剤供給装置。
【請求項７】
前記薬品判定手段により、当該搬送経路上に残されている錠剤シートの薬品と、前記処方設定データに含まれる薬品識別情報に示される薬品とが異なると判定された場合に、前記錠剤シート判定手段により、当該搬送経路上に残されていると判定された錠剤シートを前記搬送手段が前記排出路に排出し、前記登録手段により登録された薬品識別情報を削除することを特徴とする請求項６の記載の錠剤供給装置。
【請求項８】
前記搬送手段により前記排出路に排出せずに前記投入口と前記排出路との間の搬送経路上に残されている錠剤シートの錠剤収容部に収容されている錠剤の薬品を識別するための薬品識別情報を登録する登録手段を更に備え、
前記処方設定データは、更に、錠剤シートの錠剤収容部に収容された錠剤の薬品を識別するための薬品識別情報を含み、
前記錠剤取り出し手段による、前記処方設定データに示される数の錠剤を前記錠剤シートの錠剤収容部から取り出す取り出し動作を開始する前に、前記投入口と前記排出路との間の搬送経路上に錠剤シートが残されているかを判定する錠剤シート判定手段と、
前記登録手段により登録された薬品識別情報であって、前記錠剤シート判定手段により当該搬送経路上に残されていると判定された錠剤シートの錠剤収容部に収容された錠剤の薬品を識別するための薬品識別情報と、前記処方設定データに含まれる薬品識別情報とに従って、当該搬送経路上に残されている錠剤シートの薬品と、前記処方設定データに含まれる薬品識別情報に示される薬品とが異なるか否かを判定する薬品判定手段と、
を更に備え、
前記薬品判定手段により、当該搬送経路上に残されている錠剤シートの薬品と、前記処方設定データに含まれる薬品識別情報に示される薬品とが異なると判定された場合に、前記錠剤シート判定手段により、当該搬送経路上に残されていると判定された錠剤シートを前記搬送手段が前記排出路に排出し、その後、前記錠剤取り出し手段による、前記処方設定データに示される数の錠剤を前記投入口に投入された錠剤シートの錠剤収容部から取り出す取り出し動作を開始することを特徴とする請求項１乃至４の何れか１項に記載の錠剤供給装置。
【請求項９】
投入口に投入される錠剤シートの複数の錠剤収容部から、処方設定データに従って、個々に錠剤を取り出して当該錠剤シートを排出する錠剤供給装置であって、
前記錠剤シートの錠剤収容部から錠剤を取り出す取り出し動作を行う錠剤取り出し手段と、
前記錠剤シートを搬送する搬送手段と、
前記処方設定データに従った錠剤の取り出しが完了した錠剤シートを、前記搬送手段により前記排出路に排出するかの指示を受け付ける受付手段と、
を備え、
前記搬送手段は、前記受付手段により、前記処方設定データに従った錠剤の取り出しが完了した錠剤シートを、前記搬送手段により前記排出路に排出する指示を受け付けた場合には、前記処方設定データに従った錠剤の取り出しが完了した最後の錠剤シートを前記排出路に排出し、一方、前記受付手段により、前記処方設定データに従った錠剤の取り出しが完了した錠剤シートを、前記搬送手段により前記排出路に排出する指示を受け付けていない場合には、前記処方設定データに従った錠剤の取り出しが完了した最後の錠剤シートを前記排出路に排出しないことを特徴とする錠剤供給装置。
【請求項１０】
投入口に投入される錠剤シートの複数の錠剤収容部から、処方設定データに従って、個々に錠剤を取り出して当該錠剤シートを排出する錠剤供給装置であって、
前記錠剤シートの錠剤収容部から錠剤を取り出す取り出し動作を行う錠剤取り出し手段と、
前記錠剤シートを搬送する搬送手段と、
前記処方設定データに従った錠剤の取り出しが完了した錠剤シートを、前記搬送手段により前記排出路に排出するかの指示を受け付ける受付手段と、
を備え、
前記搬送手段は、前記受付手段により、前記処方設定データに従った錠剤の取り出しが完了した錠剤シートを、前記搬送手段により前記排出路に排出しない指示を受け付けた場合には、前記処方設定データに従った錠剤の取り出しが完了した最後の錠剤シートを前記排出路に排出せず、一方、前記受付手段により、前記処方設定データに従った錠剤の取り出しが完了した錠剤シートを、前記搬送手段により前記排出路に排出しない指示を受け付けていない場合には、前記処方設定データに従った錠剤の取り出しが完了した最後の錠剤シートを前記排出路に排出することを特徴とする錠剤供給装置。
【請求項１１】
投入口に投入される錠剤シートの複数の錠剤収容部から、処方設定データに従って、個々に錠剤を取り出して当該錠剤シートを排出する錠剤供給装置における制御方法であって、
前記錠剤シートの錠剤収容部から錠剤を取り出す取り出し動作を行う錠剤取り出し工程と、
前記錠剤シートを搬送する搬送工程と、
前記処方設定データに従った錠剤の取り出しが完了した錠剤シートを、前記搬送工程で前記排出路に排出するかの指示を受け付ける受付手段と、
を備え、
前記搬送工程は、前記受付工程により、前記処方設定データに従った錠剤の取り出しが完了した錠剤シートを、前記搬送工程で前記排出路に排出する指示を受け付けた場合には、前記処方設定データに従った錠剤の取り出しが完了した最後の錠剤シートを前記排出路に排出し、一方、前記受付工程により、前記処方設定データに従った錠剤の取り出しが完了した錠剤シートを、前記搬送工程で前記排出路に排出しない指示を受け付けた場合には、前記処方設定データに従った錠剤の取り出しが完了した最後の錠剤シートを前記排出路に排出しないことを特徴とする制御方法。
【請求項１２】
投入口に投入される錠剤シートの複数の錠剤収容部から、処方設定データに従って、個々に錠剤を取り出して当該錠剤シートを排出する錠剤供給装置における制御方法であって、
前記錠剤シートの錠剤収容部から錠剤を取り出す取り出し動作を行う錠剤取り出し工程と、
前記錠剤シートを搬送する搬送工程と、
前記処方設定データに従った錠剤の取り出しが完了した錠剤シートを、前記搬送工程で前記排出路に排出するかの指示を受け付ける受付手段と、
を備え、
前記搬送工程は、前記受付工程により、前記処方設定データに従った錠剤の取り出しが完了した錠剤シートを、前記搬送工程で前記排出路に排出する指示を受け付けた場合には、前記処方設定データに従った錠剤の取り出しが完了した最後の錠剤シートを前記排出路に排出し、一方、前記受付工程により、前記処方設定データに従った錠剤の取り出しが完了した錠剤シートを、前記搬送工程で前記排出路に排出する指示を受け付けていない場合には、前記処方設定データに従った錠剤の取り出しが完了した最後の錠剤シートを前記排出路に排出しないことを特徴とする制御方法。
【請求項１３】
投入口に投入される錠剤シートの複数の錠剤収容部から、処方設定データに従って、個々に錠剤を取り出して当該錠剤シートを排出する錠剤供給装置における制御方法であって、
前記錠剤シートの錠剤収容部から錠剤を取り出す取り出し動作を行う錠剤取り出し工程と、
前記錠剤シートを搬送する搬送工程と、
前記処方設定データに従った錠剤の取り出しが完了した錠剤シートを、前記搬送手段により前記排出路に排出するかの指示を受け付ける受付工程と、
を備え、
前記搬送工程は、前記受付工程により、前記処方設定データに従った錠剤の取り出しが完了した錠剤シートを、前記搬送工程で前記排出路に排出しない指示を受け付けた場合には、前記処方設定データに従った錠剤の取り出しが完了した最後の錠剤シートを前記排出路に排出せず、一方、前記受付工程により、前記処方設定データに従った錠剤の取り出しが完了した錠剤シートを、前記搬送工程で前記排出路に排出しない指示を受け付けていない場合には、前記処方設定データに従った錠剤の取り出しが完了した最後の錠剤シートを前記排出路に排出することを特徴とする制御方法。
【手続補正２】
【補正対象書類名】明細書
【補正対象項目名】発明の名称
【補正方法】変更
【補正の内容】
【発明の名称】錠剤供給装置、及びその制御方法
【手続補正３】
【補正対象書類名】明細書
【補正対象項目名】０００１
【補正方法】変更
【補正の内容】
【０００１】
本発明は、錠剤供給装置、及びその制御方法に関し、特に、処方設定データに従った錠剤の取り出しが行われた後の他の処方設定データに従った錠剤の取り出しを効率よく行うための技術に関する。
【手続補正４】
【補正対象書類名】明細書
【補正対象項目名】００１２
【補正方法】変更
【補正の内容】
【００１２】
本発明は、処方設定データに従った錠剤の取り出しが行われた後の他の処方設定データに従った錠剤の取り出しを効率よく行うための仕組みを提供することを目的とする。
【手続補正５】
【補正対象書類名】明細書
【補正対象項目名】００１３
【補正方法】変更
【補正の内容】
【００１３】
本発明は、投入口に投入される錠剤シートの複数の錠剤収容部から、処方設定データに従って、個々に錠剤を取り出して当該錠剤シートを排出する錠剤供給装置であって、前記錠剤シートの錠剤収容部から錠剤を取り出す取り出し動作を行う錠剤取り出し手段と、前記錠剤シートを搬送する搬送手段と、前記処方設定データに従った錠剤の取り出しが完了した錠剤シートを、前記搬送手段により前記排出路に排出するかの指示を受け付ける受付手段と、を備え、前記搬送手段は、前記受付手段により、前記処方設定データに従った錠剤の取り出しが完了した錠剤シートを、前記搬送手段により前記排出路に排出する指示を受け付けた場合には、前記処方設定データに従った錠剤の取り出しが完了した最後の錠剤シートを前記排出路に排出し、一方、前記受付手段により、前記処方設定データに従った錠剤の取り出しが完了した錠剤シートを、前記搬送手段により前記排出路に排出しない指示を受け付けた場合には、前記処方設定データに従った錠剤の取り出しが完了した最後の錠剤シートを前記排出路に排出しないことを特徴とする。
また、本発明は、投入口に投入される錠剤シートの複数の錠剤収容部から、処方設定データに従って、個々に錠剤を取り出して当該錠剤シートを排出する錠剤供給装置であって、前記錠剤シートの錠剤収容部から錠剤を取り出す取り出し動作を行う錠剤取り出し手段と、前記錠剤シートを搬送する搬送手段と、前記処方設定データに従った錠剤の取り出しが完了した錠剤シートを、前記搬送手段により前記排出路に排出するかの指示を受け付ける受付手段と、を備え、前記搬送手段は、前記受付手段により、前記処方設定データに従った錠剤の取り出しが完了した錠剤シートを、前記搬送手段により前記排出路に排出する指示を受け付けた場合には、前記処方設定データに従った錠剤の取り出しが完了した最後の錠剤シートを前記排出路に排出し、一方、前記受付手段により、前記処方設定データに従った錠剤の取り出しが完了した錠剤シートを、前記搬送手段により前記排出路に排出する指示を受け付けていない場合には、前記処方設定データに従った錠剤の取り出しが完了した最後の錠剤シートを前記排出路に排出しないことを特徴とする。
また、本発明は、投入口に投入される錠剤シートの複数の錠剤収容部から、処方設定データに従って、個々に錠剤を取り出して当該錠剤シートを排出する錠剤供給装置であって、前記錠剤シートの錠剤収容部から錠剤を取り出す取り出し動作を行う錠剤取り出し手段と、前記錠剤シートを搬送する搬送手段と、前記処方設定データに従った錠剤の取り出しが完了した錠剤シートを、前記搬送手段により前記排出路に排出するかの指示を受け付ける受付手段と、を備え、前記搬送手段は、前記受付手段により、前記処方設定データに従った錠剤の取り出しが完了した錠剤シートを、前記搬送手段により前記排出路に排出しない指示を受け付けた場合には、前記処方設定データに従った錠剤の取り出しが完了した最後の錠剤シートを前記排出路に排出せず、一方、前記受付手段により、前記処方設定データに従った錠剤の取り出しが完了した錠剤シートを、前記搬送手段により前記排出路に排出しない指示を受け付けていない場合には、前記処方設定データに従った錠剤の取り出しが完了した最後の錠剤シートを前記排出路に排出することを特徴とする。
【手続補正６】
【補正対象書類名】明細書
【補正対象項目名】００１４
【補正方法】変更
【補正の内容】
【００１４】
また、本発明は、投入口に投入される錠剤シートの複数の錠剤収容部から、処方設定データに従って、個々に錠剤を取り出して当該錠剤シートを排出する錠剤供給装置における制御方法であって、前記錠剤シートの錠剤収容部から錠剤を取り出す取り出し動作を行う錠剤取り出し工程と、前記錠剤シートを搬送する搬送工程と、前記処方設定データに従った錠剤の取り出しが完了した錠剤シートを、前記搬送工程で前記排出路に排出するかの指示を受け付ける受付手段と、を備え、前記搬送工程は、前記受付工程により、前記処方設定データに従った錠剤の取り出しが完了した錠剤シートを、前記搬送工程で前記排出路に排出する指示を受け付けた場合には、前記処方設定データに従った錠剤の取り出しが完了した最後の錠剤シートを前記排出路に排出し、一方、前記受付工程により、前記処方設定データに従った錠剤の取り出しが完了した錠剤シートを、前記搬送工程で前記排出路に排出しない指示を受け付けた場合には、前記処方設定データに従った錠剤の取り出しが完了した最後の錠剤シートを前記排出路に排出しないことを特徴とする。
また、本発明は、投入口に投入される錠剤シートの複数の錠剤収容部から、処方設定データに従って、個々に錠剤を取り出して当該錠剤シートを排出する錠剤供給装置における制御方法であって、前記錠剤シートの錠剤収容部から錠剤を取り出す取り出し動作を行う錠剤取り出し工程と、前記錠剤シートを搬送する搬送工程と、前記処方設定データに従った錠剤の取り出しが完了した錠剤シートを、前記搬送工程で前記排出路に排出するかの指示を受け付ける受付手段と、を備え、前記搬送工程は、前記受付工程により、前記処方設定データに従った錠剤の取り出しが完了した錠剤シートを、前記搬送工程で前記排出路に排出する指示を受け付けた場合には、前記処方設定データに従った錠剤の取り出しが完了した最後の錠剤シートを前記排出路に排出し、一方、前記受付工程により、前記処方設定データに従った錠剤の取り出しが完了した錠剤シートを、前記搬送工程で前記排出路に排出する指示を受け付けていない場合には、前記処方設定データに従った錠剤の取り出しが完了した最後の錠剤シートを前記排出路に排出しないことを特徴とする。
また、本発明は、投入口に投入される錠剤シートの複数の錠剤収容部から、処方設定データに従って、個々に錠剤を取り出して当該錠剤シートを排出する錠剤供給装置における制御方法であって、前記錠剤シートの錠剤収容部から錠剤を取り出す取り出し動作を行う錠剤取り出し工程と、前記錠剤シートを搬送する搬送工程と、前記処方設定データに従った錠剤の取り出しが完了した錠剤シートを、前記搬送手段により前記排出路に排出するかの指示を受け付ける受付工程と、を備え、前記搬送工程は、前記受付工程により、前記処方設定データに従った錠剤の取り出しが完了した錠剤シートを、前記搬送工程で前記排出路に排出しない指示を受け付けた場合には、前記処方設定データに従った錠剤の取り出しが完了した最後の錠剤シートを前記排出路に排出せず、一方、前記受付工程により、前記処方設定データに従った錠剤の取り出しが完了した錠剤シートを、前記搬送工程で前記排出路に排出しない指示を受け付けていない場合には、前記処方設定データに従った錠剤の取り出しが完了した最後の錠剤シートを前記排出路に排出することを特徴とする。
【手続補正７】
【補正対象書類名】明細書
【補正対象項目名】００１５
【補正方法】変更
【補正の内容】
【００１５】
本発明によれば、処方設定データに従った錠剤の取り出しが行われた後の他の処方設定データに従った錠剤の取り出しを効率よく行うことができる。